(57)【要約】【課題】端子の取付を良好な作業性で確実に行う。【解決手段】バッテリーポスト１は、バッテリーの上面に突設される支持棒２と、その支持棒２に螺合されて支持棒２に沿って上下動可能且つ任意の位置で固定可能な栓部材３と、その栓部材３の外周側で支持棒２を中心とした放射方向へ拡縮可能に支持棒２に連結され、上昇する栓部材３との干渉により拡開方向へ押圧される外枠体４，５とからなり、縮小方向へ移動させた外枠体４，５の外周にバッテリー端子２０を外嵌させ、栓部材３を上昇させると、外枠体４，５が拡開方向へ移動してバッテリー端子２０を押圧固定する。【選択図】図３
2008210768.tif 000002
【特許請求の範囲】
【請求項１】
バッテリーの上面に、端子を取り付けるために突設されるバッテリーポストであって、
前記バッテリーの上面に突設される支持棒と、その支持棒に外装されて前記支持棒に沿って上下動可能且つ任意の位置で固定可能な栓部材と、その栓部材の外周側で前記支持棒を中心とした放射方向へ拡縮可能に前記支持棒に連結され、上昇或いは下降する前記栓部材との干渉により拡開方向へ押圧される複数の外枠体とからなり、縮小方向へ移動させた前記外枠体の外周に前記端子を外嵌させ、前記栓部材を上昇或いは下降させることで、前記外枠体を拡開方向へ移動させて前記端子を押圧固定可能としたことを特徴とするバッテリーポスト。
【請求項２】
栓部材が支持棒に螺合し、回転操作によって上下動と任意の位置での固定とが可能となることを特徴とする請求項１に記載のバッテリーポスト。
【請求項３】
栓部材の上端に、回転操作用のナットが一体に設けられることを特徴とする請求項２に記載のバッテリーポスト。
【請求項４】
栓部材を円錐状に形成し、外枠体における前記栓部材との干渉部分を、前記栓部材の外形に沿ったテーパ状としたことを特徴とする請求項１乃至３の何れかに記載のバッテリーポスト。
【請求項５】
端子が、外枠体への外嵌部分に筒部を形成した平端子であることを特徴とする請求項１乃至４の何れかに記載のバッテリーポスト。
【発明の詳細な説明】
【技術分野】
【０００１】
本発明は、自動車等に搭載されるバッテリーに、バッテリー端子等の端子を取り付けるために設けられるバッテリーポストに関する。
【背景技術】
【０００２】
バッテリーポストは、バッテリーの上面に円錐状又は円筒状に突設して、バッテリー端子が取り付けられる。このバッテリー端子は、例えば特許文献１に示すように、ループ状に形成されてバッテリーポストが挿入される接触部と、接触部の両端に延設された締結部とからなり、両締結部をボルトとナットとにより締め付けて接触部を縮径させることでバッテリーポストに固定可能としたものがよく知られている。
【０００３】
【特許文献１】実開平５−３１１３３号公報
【発明の開示】
【発明が解決しようとする課題】
【０００４】
このボルトとナットとの締付は、バッテリーポストに直交する方向（横向き）で行われるため、狭い場所でのレンチ等の工具の操作がやりづらく、バッテリー端子の着脱に係る作業性がよくなかった。また、バッテリー端子の運搬の際には、バッテリーポストへの取付が迅速に行えるように、ボルトとナットとが締結部に緩く仮止めされることが多いが、この場合、運搬途中でボルトやナットが脱落して紛失したり、ナットが締まり過ぎて一旦ナットを緩める作業が必要になったりして、取付作業ができなかったり余計な手間が掛かったりしていた。さらに、ボルトやナットの脱落を防止するために、ボルトにロックペイントを塗布したり、超低トルクにより締め付けたり等の特殊な管理を行っていた。
【０００５】
そこで、本発明は、端子の取付を良好な作業性で確実に行うことができるバッテリーポストを提供することを目的としたものである。
【課題を解決するための手段】
【０００６】
上記目的を達成するために、請求項１に記載の発明は、バッテリーの上面に突設される支持棒と、その支持棒に外装されて支持棒に沿って上下動可能且つ任意の位置で固定可能な栓部材と、その栓部材の外周側で支持棒を中心とした放射方向へ拡縮可能に支持棒に連結され、上昇或いは下降する栓部材との干渉により拡開方向へ押圧される複数の外枠体とからなり、縮小方向へ移動させた外枠体の外周に端子を外嵌させ、栓部材を上昇或いは下降させることで、外枠体を拡開方向へ移動させて端子を押圧固定可能としたことを特徴とするものである。
請求項２に記載の発明は、請求項１の目的に加えて、栓部材の操作を簡単且つ確実に行うために、栓部材が支持棒に螺合し、回転操作によって上下動と任意の位置での固定とが可能となる構成としたものである。
請求項３に記載の発明は、請求項２の目的に加えて、栓部材の回転操作を容易にするために、栓部材の上端に、回転操作用のナットを一体に設けたものである。
請求項４に記載の発明は、請求項１乃至３の何れかの目的に加えて、外枠体の拡縮方向への移動をスムーズに行わせるために、栓部材を円錐状に形成し、外枠体における栓部材との干渉部分を、栓部材の外形に沿ったテーパ状としたものである。
請求項５に記載の発明は、請求項１乃至４の何れかの目的に加えて、バッテリーポストとの接触面積を確保でき、安価に採用できる端子を得るために、端子を、外枠体への外嵌部分に筒部を形成した平端子としたことを特徴とするものである。
【発明の効果】
【０００７】
請求項１に記載の発明によれば、上方からの栓部材の上下動操作で端子の固定とその解除とが可能となるため、狭いスペースでも容易に端子の着脱作業が行える。
また、端子に従来のようにボルトやナットを緩く仮止めして特殊な管理を行う必要がなく、単純な締め付け管理だけで済む上、運搬中に部品が紛失して端子の取付ができないといった不具合は生じない。従って、端子の取付を良好な作業性で確実に行うことができる。さらに、特許文献１のように従来のバッテリーポストに対して特殊な新規端子を使用するのではなく、バッテリーポストの構造を変更しているので、コストアップの低減となる。
請求項２に記載の発明によれば、請求項１の効果に加えて、螺合によって端子の着脱に係る栓部材の操作が簡単且つ確実に行える。
請求項３に記載の発明によれば、請求項２の効果に加えて、ナットによって栓部材の回転操作が容易に行える。
請求項４に記載の発明によれば、請求項１乃至３の何れかの効果に加えて、栓部材を円錐状に形成し、外枠体における栓部材との干渉部分をテーパ状としたことで、外枠体の拡縮方向への移動をスムーズに行わせることができる。
請求項５に記載の発明によれば、請求項１乃至４の何れかの効果に加えて、筒部を形成した平端子の採用により、平端子であってもバッテリーポストとの接触面積が確保できる。よって、接触抵抗が低減して締め過ぎも生じにくくなる。また、従来の平端子に筒部を形成する簡単な加工で足りる上、当該平端子を直接バッテリーポストへ取付け可能となるため、接続の安定性を維持しつつ、ボルトやナットは勿論、中間端子等の余分な部品が不要となる。
【発明を実施するための最良の形態】
【０００８】
以下、本発明の実施の形態を図面に基づいて説明する。
図１は、本発明のバッテリーポストの一例を示す分解斜視図で、バッテリーポスト１は、バッテリーの上面に立設される支持棒２と、その支持棒２に螺合される栓部材３と、２つの外枠体４，５とからなる。
まず、支持棒２は、バッテリーの上面に突設された円形のベース板６を貫通してバッテリー上方に垂設されるネジ棒が用いられる。栓部材３は、下方側が大径となる円錐状を呈して、軸心には、支持棒２が遊挿可能な透孔７が形成される一方、上端部には、支持棒２が螺合可能なナット８が固着され、ナット８を介してレンチ等で回転させることで、螺合させた支持棒２に対して上下動と任意の位置での固定とが可能となる。
【０００９】
そして、外枠体４は、ベース板６と同径の円形底面部９を有し、その円形底面部９上の半周部分に、栓部材３の外形に沿ったテーパ状の壁部１０を立設している。また、外枠体５は、外枠体４の壁部１０内で円形底面部９の上面にセット可能な円形底面部１１を有し、その円形底面部１１上の外面側で外枠体４と反対側の半周部分に、栓部材３の外形に沿ったテーパ状の壁部１２を周設している。すなわち、外枠体４と外枠体５とを組み合わせることで、図２（Ａ）に示すように上方が開口する円錐状のポスト本体１３を形成可能としたものである。ここで、外枠体４，５を組み合わせて形成される上部開口１４は、栓部材３の上方部位の径と略同じ設定となっている。
【００１０】
また、各外枠体４，５の円形底面部９，１１には、支持棒２が貫通可能な長孔１５Ａ，１５Ｂが夫々形成されている。この長孔１５Ａ，１５Ｂは、夫々円形底面部９，１１の中心と壁部１０，１２の中間位置とを結ぶ線に沿って形成されるもので、この長孔１５Ａ，１５Ｂにより各外枠体４，５は、支持棒２の貫通状態で、図２（Ａ）のようにポスト本体１３が形成される組み合わせ位置と、同図（Ｂ）のように互いに長孔１５Ａ，１５Ｂの形成方向に離れてポスト本体１３が拡開する離反位置とに移動可能に連結される。この離反位置では、両外枠体４，５間のスペースに栓部材３が進入可能となっている。
【００１１】
以上の如く構成されたバッテリーポスト１においては、まず外枠体４を、円形底面部９に支持棒２を貫通させてベース板６上にセットし、次に外枠体５を、同じく円形底面部１１に支持棒２を貫通させて外枠体４の円形底面部９上にセットする。そして、両外枠体４，５を離反位置に移動させた状態で、栓部材３を支持棒２に外装させて上端のナット８を螺合させ、そのままナット８を利用して下方部分が両外枠体４，５の間に進入するまでねじ込む。
【００１２】
この状態で両外枠体４，５を組み合わせ位置に移動させると、図３のように、栓部材３を中心にしてポスト本体１３が縮小する状態となる。ここでバッテリー端子２０の取付部２１を、ポスト本体１３の上から外嵌させ、そのままレンチ等を用いて栓部材３のナット８を弛み方向へ回転させる。すると、栓部材３が上昇してその外周のテーパ面が両外枠体４，５の壁部１０，１２を夫々内側から押圧して、両外枠体４，５を離反位置へ押し広げるため、図４に示すように栓部材３を楔にして両外枠体４，５がバッテリー端子２０の取付部２１に圧入される格好となり、バッテリー端子２０がバッテリーポスト１に固定される。
【００１３】
逆にバッテリー端子２０を取り外す際は、レンチ等で栓部材３のナット８をねじ込み方向へ回転させると、栓部材３が下降してテーパ面による両外枠体４，５の壁部１０，１２の押圧を解除するため、両外枠体４，５とバッテリー端子２０の取付部２１との間に隙間が生じ、バッテリー端子２０を取り外すことができる。
【００１４】
このように、上記形態のバッテリーポスト１によれば、バッテリーの上面に突設される支持棒２と、その支持棒２に外装されて支持棒２に沿って上下動可能且つ任意の位置で固定可能な栓部材３と、その栓部材３の外周側で支持棒２を中心とした放射方向へ拡縮可能に支持棒２に連結され、上昇する栓部材３との干渉により拡開方向へ押圧される外枠体４，５とからなり、縮小方向へ移動させた外枠体４，５の外周にバッテリー端子２０を外嵌させ、栓部材３を上昇させて外枠体４，５を拡開方向へ移動させてバッテリー端子２０を押圧固定可能としたことで、上方からの栓部材３の回転操作でバッテリー端子２０の固定とその解除とが可能となるため、狭いスペースでも容易にバッテリー端子２０の着脱作業が行える。
【００１５】
また、バッテリー端子２０に従来のようにボルトやナットを緩く仮止めして特殊な管理を行う必要がなく、単純な締め付け管理だけで済む上、運搬中に部品が紛失してバッテリー端子２０の取付ができないといった不具合は生じない。従って、バッテリー端子２０の着脱を良好な作業性で確実に行うことができる。さらに、従来のバッテリーポストに対して特殊な新規端子を使用するのではなく、バッテリーポストの構造を変更しているので、コストアップの低減となる。
【００１６】
特にここでは、栓部材３が支持棒２に螺合し、回転操作によって上下動と任意の位置での固定とが可能となる構成であるから、バッテリー端子２０の着脱に係る栓部材３の操作が簡単且つ確実に行えるようになっている。
また、栓部材３の上端に、回転操作用のナット８を一体に設けているので、栓部材３の回転操作を容易に行うことができる。
さらに、栓部材３を円錐状に形成し、外枠体４，５における栓部材３との干渉部分を、栓部材３の外形に沿ったテーパ状の壁部１０，１２としたため、外枠体４，５を拡縮方向へスムーズに移動させることができる。
【００１７】
なお、上記形態では、栓部材の上端にナットを設けているが、栓部材の上端にナット形状を直接形成して回転操作可能としてもよい。勿論ナット形状以外に二面幅部等でも差し支えない。また、栓部材は、全体を円錐状に形成するものに限らず、外枠体の壁部に夫々押圧可能であれば、図５に示すバッテリーポスト１ａのように、下方にテーパフランジ１６を周設した縦断面逆Ｔ字状の栓部材３ａとすることもできる。
さらに、図５は、バッテリー端子２０ａの形状に応じてポスト本体１３ａも上下に亘って同径としたものを併せて示している。この場合も外枠体４ａ，５ａの壁部１７，１７の内面にテーパ面１７ａを夫々形成することで、栓部材３ａの上下動による拡縮は可能である。
【００１８】
加えて、外枠体は二つに限らず、三つ以上で形成することも可能であるし、全体にテーパ状の壁部を形成せず、下方部分にテーパ状の壁部を、上方部分に直筒状の壁部を形成した複合形状として、栓部材と下方の壁部との干渉で外枠体を拡開させても差し支えない。
また、上記形態では、ポスト本体が全体的に円錐状となるように２つの外枠体を互いに異なる形状としているが、同じ形状の外枠体を複数用意して支持棒に連結させるようにしても、ポスト本体の全体形状が多少歪になるものの拡縮による端子の固定とその解除とは行える。
【００１９】
一方、上記形態では、栓部材を支持棒に螺合させて上下動可能としているが、上下機構はこれに限らない。例えば、支持棒をボルトでなく、周面の一部に複数のストッパを軸方向へ断続的に突設した軸体とする一方、栓部材の中心に、ストッパを含めた軸体が遊挿し、内面にストッパと係合可能な突起を突設した透孔を形成して、突起とストッパとが軸方向で干渉しない栓部材の回転位置では栓部材を上下動可能とし、栓部材の回転で突起をストッパと軸方向で係合させることで、栓部材の上下動を規制するような構造等も考えられる。
【００２０】
そして、上記形態では、栓部材の下降位置で外枠体の縮小方向への移動を許容し、栓部材の上昇によって外枠体を拡開方向へ押圧する構造としているが、これと逆に、図６に示すバッテリーポスト１ｂのように、栓部材３ｂを下方が小径となる円錐状とし、外枠体４，５の壁部１０，１２の内面にこれに沿ったテーパ面１８，１８を夫々形成して、栓部材３ｂの上昇位置で外枠体４，５の縮小方向への移動を許容し、栓部材３ｂの下降によって外枠体４，５を拡開方向へ押圧するような構造も採用可能である。
その他、本発明は、上記形態のようなバッテリー端子に限らず、ＬＡ端子、ＢＡ端子等の平端子にも適用できる。特に平端子の場合は、端子構造がシンプルであるため、コストダウンになる上、ボルトやナットが不要となるメリットもある。
【００２１】
但し、平端子を用いた場合、バッテリーポストの外枠体を拡開させることで固定可能ではあるが、平端子と外枠体との接触面積が少なくなるため、接触抵抗が増加してしまうおそれがある。また、締め過ぎにより挿脱に手間が掛かったり、外枠体等を破損させたりするおそれがある。実開平５−４５８９９号公報に開示されるようにバッテリーポストに別のバッテリ端子（中間端子）を嵌着させ、そのバッテリ端子に平端子を取り付けることも考えられるが、部品点数が増加して取付に手間が係る上、コストアップにも繋がる。
そこで、図７に示すように、穴部に絞り加工を施す等して、外枠体への外嵌部分に、バッテリーポストの形状に沿った筒部３１を形成した平端子３０を用いることが考えられる。
【００２２】
この平端子３０を用いる場合も、先のバッテリー端子２０と同様の手順でバッテリーポスト１へ取付け可能となる。すなわち、図８に示すように、バッテリーポスト１を、栓部材３を中心にしてポスト本体１３が縮小する状態として、平端子３０の筒部３１を、ポスト本体１３の上から外嵌させ、そのままレンチ等を用いて栓部材３のナット８を弛み方向へ回転させる。すると、栓部材３が上昇してその外周のテーパ面が両外枠体４，５の壁部１０，１２を夫々内側から押圧して、両外枠体４，５を離反位置へ押し広げるため、図９に示すように栓部材３を楔にして両外枠体４，５が平端子３０の筒部３１に圧入される格好となり、平端子３０がバッテリーポスト１に固定される。
【００２３】
このように、端子を、外枠体４，５への外嵌部分に筒部３１を形成した平端子３０とすることで、平端子であってもバッテリーポスト１との接触面積が確保できる。よって、接触抵抗が低減して締め過ぎも生じにくくなる。また、従来の平端子に筒部を形成する簡単な加工で足りる上、当該平端子を直接バッテリーポストへ取付け可能となるため、接続の安定性を維持しつつ、ボルトやナットは勿論、中間端子等の余分な部品が不要となる。
【図面の簡単な説明】
【００２４】
【図１】バッテリーポストの分解斜視図である。
【図２】外枠体の説明図で、（Ａ）は組み合わせ位置を、（Ｂ）は離反位置を夫々示す。
【図３】バッテリー端子の取付状態を示す斜視図である。
【図４】バッテリー端子の取付状態を示す斜視図である。
【図５】バッテリーポストの変更例を示す断面図である。
【図６】バッテリーポストの変更例を示す断面図である。
【図７】平端子の説明図で、上が縦断面、下が平面を夫々示す。
【図８】平端子の取付状態を示す斜視図である。
【図９】平端子の取付状態を示す斜視図である。
【符号の説明】
【００２５】
１，１ａ，１ｂ・・バッテリーポスト、２・・支持棒、３，３ａ，３ｂ・・栓部材、４，４ａ，５，５ａ・・外枠体、８・・ナット、９，１１・・円形底面部、１０，１２，１７・・壁部、１３，１３ａ・・ポスト本体、１５Ａ，１５Ｂ・・長孔、２０・・バッテリー端子、２１・・取付部、３０・・平端子、３１・・筒部。
【図１】
2008210768.tif 000003
【図２】
2008210768.tif 000004
【図３】
2008210768.tif 000005
【図４】
2008210768.tif 000006
【図５】
2008210768.tif 000007
【図６】
2008210768.tif 000008
【図７】
2008210768.tif 000009
【図８】
2008210768.tif 000010
【図９】
2008210768.tif 000011